(57)【要約】偏光多重分離光通信受信機は、多重化された２個の光信号に信号品質変動を付与する信号品質変動付与手段と、信号品質変動を付与した多重化された前記２個の光信号を偏光分離した後に、前記２個の光信号の各々の信号品質を比較した結果に基づいて、前記２個の光信号を特定する信号品質監視手段とを備える。これにより偏光多重光信号の伝送特性劣化を抑制し、高い信頼性を有する伝送を実現する。
2014115519.tif 000002
【特許請求の範囲】
【請求項１】
偏光状態が直交しかつ搬送波の周波数帯が同一である多重化された２個の光信号を受信し偏光分離する偏光多重分離光通信受信機において、
前記多重化された前記２個の光信号に信号品質変動を付与する信号品質変動付与手段と、
前記信号品質変動を付与した前記多重化された前記２個の光信号を前記偏光分離した後に、前記２個の光信号の各々の信号品質を比較し、前記比較した結果に基づいて、前記２個の光信号を特定する信号品質監視手段と、を備えた、
偏光多重分離光通信受信機。
【請求項２】
前記信号品質変動付与手段は、フィルタ回路である、請求項１記載の偏光多重分離光通信受信機。
【請求項３】
前記フィルタ回路は、前記２個の光信号のいずれか一方の中心周波数をフィルタ中心周波数とし、かつ前記光信号の光スペクトル帯域をフィルタ帯域とするフィルタ係数を有する、請求項２記載の偏光多重分離光通信受信機。
【請求項４】
前記信号品質変動付与手段は、前記偏光分離が安定化した後に前記信号品質変動を付与する、請求項１から３の内の１項記載の偏光多重分離光通信受信機。
【請求項５】
前記信号品質変動付与手段は、前記信号品質監視手段が前記２個の光信号を特定した後は、前記光信号をバイパスする、請求項１から４の内の１項記載の偏光多重分離光通信受信機。
【請求項６】
偏光状態が直交しかつ搬送波の周波数帯が同一である２個の光信号を多重化して送信する偏光多重分離光通信送信機と、前記多重化した前記２個の光信号を受信し偏光分離する偏光多重分離光通信受信機とを備え、
前記偏光多重分離光通信受信機は、請求項１から５の内の１項記載の偏光多重分離光通信受信機である、偏光多重分離光通信システム。
【請求項７】
前記偏光多重分離光通信送信機は、
前記２個の光信号の位相差を周期的に変化させる周波数シフト手段を備え、
前記偏光多重分離光通信受信機は、
前記位相差の情報を入力する光送信機情報入力手段と、
前記光送信機情報入力手段に入力した前記位相差の情報と前記２個の光信号の特定結果とに基づいて、前記２個の光信号の前記位相差を補償する周波数シフト補償手段と、を備えた、請求項６記載の偏光多重分離光通信システム。
【請求項８】
前記周波数シフト手段は、前記２個の光信号の少なくとも一方に周波数偏差を加えることにより、前記２個の光信号の位相差を周期的に変化させる、請求項６または７記載の偏光多重分離光通信システム。
【請求項９】
前記偏光多重分離光通信受信機は、
局所光を発生する局所光発生手段と、
前記局所光と前記多重化した前記２個の光信号とを干渉させてから前記偏光分離を行う偏光分離手段と、
前記周波数シフト補償手段の後段に設けられ、前記局所光と前記２個の光信号との周波数偏差を補償する周波数偏差補償手段と、を備えた、
請求項６から８の内の１項記載の偏光多重分離光通信システム。
【請求項１０】
偏光状態が直交しかつ搬送波の周波数帯が同一である２個の光信号を多重化して送信し、前記多重化した前記２個の光信号を受信し偏光分離する、偏光多重分離光通信方法において、
前記受信した前記多重化した前記２個の光信号に信号品質変動を付与し、
前記信号品質変動を付与した前記多重化した前記２個の光信号を前記偏光分離した後に、前記２個の光信号の各々の信号品質を比較し、前記比較した結果に基づいて、前記２個の光信号を特定する、偏光多重分離光通信方法。
【発明の詳細な説明】
【技術分野】
【０００１】
本発明は、偏光多重分離光通信技術に関し、特に、高い信頼性を有する伝送を実現する偏光多重分離光通信受信機、偏光多重分離光通信システム、および偏光多重分離光通信方法に関する。
【背景技術】
【０００２】
インターネットの普及により、基幹ネットワークのトラフィック量が急増していることから、１００Ｇｂｐｓを超える超高速長距離光通信システムの実現が強く望まれている。このような超高速長距離光通信システムを実現する技術として、ディジタル信号処理技術を活用した光位相変調方式と偏光多重分離技術とが注目されている。【０００３】
偏光多重分離技術は、光送信機において、搬送波を同一の周波数帯に配備し、かつ、偏光状態が互いに直交する２個の独立した光信号を多重化する。さらに、光受信機において、受信信号から前記２個の独立した光信号を分離することにより、２倍の伝送速度を実現する技術である。この偏光多重分離技術と、ＱＰＳＫ（Ｑｕａｄｒａｔｕｒｅ  Ｐｈａｓｅ  Ｓｈｉｆｔ  Ｋｅｙｉｎｇ）等の光位相変調方式との、双方の技術を組み合わせることにより、１００Ｇｂｐｓという超高速長距離光通信システムを実現することができる。光搬送波周波数偏差及び光位相偏差を補償する処理、及び、２個の独立した光信号に分離する偏光分離処理を、ＬＳＩ（Ｌａｒｇｅ  Ｓｃａｌｅ  Ｉｎｔｅｇｒａｔｉｏｎ）などにより実装されたディジタル信号処理回路で実施することにより高精度に復調する技術は、光ディジタルコヒーレント通信方式と呼ばれる。【０００４】
さらに、光位相変調方式および偏光多重分離技術を用いた偏光多重分離光通信システムにおいて、光ファイバ伝送中に光信号が受ける非線形光学効果に起因する光雑音を抑制する技術が非特許文献１に開示されている。非特許文献１に開示されている技術は、光送信機において２個の独立した光信号に対して異なる光位相の時間的変動を付与し、付与された前記光位相の時間的変動を光受信機において補償する。これにより、２個の独立した光信号間に生じる非線形光学効果に起因する光雑音を抑制し、伝送特性を改善している。
【先行技術文献】
【非特許文献】
【０００５】
【非特許文献１】Ｓ．Ｆｕｊｉｓａｗａ，Ｔ．Ｎａｋａｎｏ，Ｄ．Ｏｇａｓａｈａｒａ，Ｅ．Ｌｅ  Ｔａｉｌｌａｎｄｉｅｒ  ｄｅ  Ｇａｂｏｒｙ，Ｙ．Ｉｎａｄａ，Ｔ．Ｉｔｏ，ａｎｄ  Ｋ．Ｆｕｋｕｃｈｉ，“Ｄｅｍｏｎｓｔｒａｔｉｏｎ  ｏｆ  ｔｈｅ  Ｍｉｔｉｇａｔｉｏｎ  ｏｆ  Ｉｎｔｒａ−Ｃｈａｎｎｅｌ  Ｎｏｎｌｉｎｅａｒｉｔｉｅｓ  ｂａｓｅｄ  ｏｎ  Ｉｎｔｅｒ−Ｐｏｌａｒｉｚａｔｉｏｎ  Ｄｉｇｉｔａｌ  Ｆｒｅｑｕｅｎｃｙ  Ｏｆｆｓｅｔｔｉｎｇ  ｗｉｔｈ  ５０Ｇｂ／ｓ  ＰＭ−ＱＰＳＫ  ｓｉｇｎａｌ  ｏｖｅｒ  １０，０８０ｋｍ  ｔｒａｎｓｍｉｓｓｉｏｎ”Ｅｕｒｏｐｅａｎ  Ｃｏｎｆｅｒｅｎｃｅ  ａｎｄ  Ｅｘｈｉｂｉｔｉｏｎ  ｏｎ  Ｏｐｔｉｃａｌ  Ｃｏｍｍｕｎｉｃａｔｉｏｎ  Ｔｅｃｈｎｉｃａｌ  Ｄｉｇｅｓｔ，  Ｐａｇｅ  Ｍｏ．１．Ｃ．２，  Ｊｕｎｅ  １６，  ２０１２．
【発明の開示】
【発明が解決しようとする課題】
【０００６】
非特許文献１の技術は、以下に述べる効果を付加することで、更なる高度化が可能である。すなわち、光受信機において偏光分離処理されて出力される２個の独立した光信号が、光送信機において生成された２個の独立した光信号のうちのいずれかであるかを特定することができるようにすることである。これにより、偏光分離された光信号に付与された光位相の時間的変動量を確実に特定し、光位相の時間的変動を確実に補償することが可能となる。その結果、光搬送波周波数偏差及び光位相偏差を補償する処理を確実に動作させ、ビット列を確実に復元することが可能となる。【０００７】
光受信機において、偏光分離された２個の独立した光信号を特定する方法としては、以下の方法が一般的である。すなわち、光送信機において、互いに異なる特定のビット列（トレーニングパタン）をそれぞれの光信号に挿入し、光受信機において復元されたビット列に含まれる前記特定のビット列を照合した結果に基づいて、光信号を識別する方法である。しかしながら、ビット列を正しく復元することができない可能性が生じる場合は、この方法は適切ではない。【０００８】
また、光位相の時間的変動の補償量の設定の組み合わせは、この場合高々２通りである。そのため、この２通りの組み合わせをそれぞれ試行し、光送信機において光信号に予め挿入された前記特定のビット列を光受信機において抽出できたか否かに基づいて、正しく復調できたか否かを判定する方法がある。しかしながら、この場合、全体の処理に多くの時間を要するため、例えば光ファイバ切断時のパス切り替えのような数１０ｍｓという短時間での障害復帰が強く望まれる場合への適用は適切ではない。【０００９】
本発明は、上記の課題を鑑みてなされたものであり、その目的は、偏光多重分離光通信システムの光受信機で偏光分離処理されて出力される２個の独立した光信号が、光送信機で生成された２個の独立した光信号の内の何れであるかを特定することである。これにより、高い信頼性を実現する偏光多重分離光通信受信機、偏光多重分離光通信システム、および偏光多重分離光通信方法を提供することである。
【課題を解決するための手段】
【００１０】
本発明による偏光多重分離光通信受信機は、偏光状態が直交しかつ搬送波の周波数帯が同一である多重化された２個の光信号を受信し偏光分離する偏光多重分離光通信受信機において、前記多重化された前記２個の光信号に信号品質変動を付与する信号品質変動付与手段と、前記信号品質変動を付与した前記多重化された前記２個の光信号を前記偏光分離した後に、前記２個の光信号の各々の信号品質を比較し、前記比較した結果に基づいて、前記２個の光信号を特定する信号品質監視手段と、を備えている。【００１１】
本発明による偏光多重分離光通信システムは、偏光状態が直交しかつ搬送波の周波数帯が同一である２個の光信号を多重化して送信する偏光多重分離光通信送信機と、前記多重化した前記２個の光信号を受信し偏光分離する偏光多重分離光通信受信機とを備え、前記偏光多重分離光通信受信機は、前記多重化され前記２個の光信号に信号品質変動を付与する信号品質変動付与手段と、前記信号品質変動を付与した前記多重化された前記２個の光信号を前記偏光分離した後に、前記２個の光信号の各々の信号品質を比較し、前記比較した結果に基づいて、前記２個の光信号を特定する信号品質監視手段と、を備えている。【００１２】
本発明による偏光多重分離光通信方法は、偏光状態が直交しかつ搬送波の周波数帯が同一である２個の光信号を多重化して送信し、前記多重化した前記２個の光信号を受信し偏光分離する、偏光多重分離光通信方法において、前記受信した前記多重化した前記２個の光信号に信号品質変動を付与し、前記信号品質変動を付与した前記多重化した前記２個の光信号を前記偏光分離した後に、前記２個の光信号の各々の信号品質を比較し、前記比較した結果に基づいて、前記２個の光信号を特定する。
【発明の効果】
【００１３】
本発明によれば、偏光多重分離光通信システムの光受信機で偏光分離処理されて出力される２個の独立した光信号が、光送信機で生成された２個の独立した光信号の内の何れであるかを特定することが可能となる。これにより、高い信頼性を実現する偏光多重分離光通信受信機、偏光多重分離光通信システム、および偏光多重分離光通信方法を提供することができる。
【図面の簡単な説明】
【００１４】
【図１】本発明の第１の実施形態の偏光多重分離光通信受信機の構成を示すブロック図である。
【図２】本発明の第２の実施形態の偏光多重光通信システムの光送信機の構成を示すブロック図である。
【図３】本発明の第２の実施形態の偏光多重光通信システムの光受信機の構成を示すブロック図である。
【図４】本発明の第３の実施形態の偏光多重光通信システムの光受信機の構成を示すブロック図である。
【図５】比較例の偏光多重光通信システムの光受信機の構成を示すブロック図である。
【発明を実施するための最良の形態】
【００１５】
以下、図を参照しながら、本発明の最良の実施形態を詳細に説明する。但し、以下に述べる実施形態には、本発明を実施するために技術的に好ましい限定がされているが、発明の範囲を以下に限定するものではない。
（第１の実施形態）
本発明の第１の実施形態について図面を参照して詳細に説明する。図１は、本実施形態の偏光多重分離光通信受信機１０の構成を示すブロック図である。【００１６】
偏光多重分離光通信受信機１０は、偏光状態が直交しかつ搬送波の周波数帯が同一である多重化された２個の光信号を受信し偏光分離する偏光多重分離光通信受信機である。さらに、前記多重化された前記２個の光信号に信号品質変動を付与する信号品質変動付与手段１１を備える。さらに、前記信号品質変動を付与した前記多重化された前記２個の光信号を前記偏光分離した後に、前記２個の光信号の各々の信号品質を比較し、前記比較した結果に基づいて、前記２個の光信号を特定する信号品質監視手段を備える。【００１７】
本実施形態によれば、偏光多重分離光通信システムの光受信機で偏光分離処理されて出力される２個の独立した光信号が、光送信機で生成された２個の独立した光信号の内の何れであるかを特定することが可能となる。これにより、高い信頼性を実現する偏光多重分離光通信受信機を提供することができる。
（第２の実施形態）
本発明の第２の実施形態について図面を参照して詳細に説明する。図２は、本実施形態の偏光多重光通信システムの光送信機１００の構成を示すブロック図である。光送信機１００は、レーザ発振器１０１、周波数シフタ１０２−１〜２、光位相変調器１０３−１〜２、駆動信号生成器１０４−１〜２、偏光多重部１０５を備えている。【００１８】
レーザ発振器１０１から発振された搬送波となるレーザ光は２分岐された後、それぞれ周波数シフタ１０２−１及び周波数シフタ１０２−２により、互いに異なる符号で、かつ、絶対値が等しい周波数だけ、発振周波数がシフトされる。例えば、連続光の発振周波数をｆｃとし、周波数シフト量の絶対値をΔｆとすると、周波数シフタ１０２−１、周波数シフタ１０２−２から出力される連続光の光周波数は、各々、ｆｃ＋Δｆ、ｆｃ−Δｆである。【００１９】
光位相変調器１０３−１は、駆動信号生成器１０４−１により送信ビット列から生成された駆動信号によって、周波数シフタ１０２−１から出力される連続光を変調する。光位相変調器１０３−２と駆動信号生成器１０４−２の動作も同様である。光位相変調器１０３−１〜２から出力される２個の独立した光信号は、搬送波の周波数帯が同一であり、さらに、偏光多重部１０５により互いに偏光状態が直交するように偏光多重された後、光伝送路に送信される。【００２０】
次に、図３を用いて、本実施形態の偏光多重光通信システムの光受信機の構成および動作を説明する。図３は、本実施形態の偏光多重光通信システムの光受信機２００の構成を示すブロック図である。光受信機２００は、９０度光ハイブリッド２０１、光ディテクタ２０２−１〜４、ＡＤＣ（アナログディジタルコンバータ）２０３−１〜４を備えている。さらに、偏光分離部２０４、周波数シフト補償部２０５、光搬送波周波数偏差・光位相偏差補償部２０６−１〜２、シンボル識別部２０７−１〜２、光送信機情報入力インタフェース２０８を備えている。さらに、制御部２０９、信号品質変動付与部２１０、信号品質監視部２１１を備えている。【００２１】
光送信機１００から送信された光送信信号は、光受信機２００に入力される（光受信信号）。さらに、レーザ発振器１０１とほぼ同一の発振周波数を有する局所光発振部２１２からの局所発振光とともに、９０度光ハイブリッド２０１に入力され干渉する。その後、９０度光ハイブリッド２０１の４つの出力光信号として出力される。各光信号は光ディテクタ２０２−１〜４により電気信号に変換された後、ＡＤＣ２０３−１〜４により４チャネルのディジタル信号に変換される。【００２２】
ここで、信号品質変動付与部２１０は、光受信機２００での光受信信号の受信開始後、偏光分離部２０４の偏光分離処理が安定化するまでは、何もせずに単に前記４チャネルのディジタル信号をバイパスして、偏光分離部２０４に送る。偏光分離部２０４は、４チャネルのディジタル信号から、ＣＭＡ（Ｃｏｎｓｔａｎｔ  Ｍｏｄｕｌｕｓ  Ａｌｇｏｒｉｔｈｍ）等のアルゴリズムを用いて偏光分離処理を行うことにより、２個の独立した光信号に分離し、ディジタル信号として出力する。【００２３】
偏光分離処理が安定化するには多少の時間が必要であり、光受信信号の受信直後の偏光分離処理は不安定である。信号品質監視部２１１は、偏光分離部２０４で計算される受信信号のコスト値から、光受信信号の品質が安定化したことを確認する。すなわち、偏光分離部２０４の偏光分離処理が収束すると、制御部２０９は、信号品質変動付与部２１０を用いて、２個の独立した光信号に対して異なる品質変動を付与する。【００２４】
例えば、信号品質変動付与部２１０をフィルタ回路として構成し、フィルタ回路の係数に、２個の独立した光信号のいずれか一方の中心周波数をフィルタ中心周波数、かつ、光スペクトル帯域をフィルタ帯域とする矩形フィルタの係数を設定する。フィルタ中心周波数の値は、光送信機情報入力インタフェース２０８より入力される光送信機１００の情報であるｆｃとΔｆから計算される、ｆｃ＋Δｆ、ｆｃ−Δｆのいずれかを用いる。ここでは説明の便宜のため、フィルタの中心周波数をｆｃ＋Δｆとする。フィルタ帯域はＡＤＣ２０３−１〜４のアナログ帯域以上かつ光信号の光スペクトル帯域未満に設定する。【００２５】
このとき、２個の独立した光信号の一方、すなわち、矩形フィルタにより主として切り出されたｆｃ＋Δｆの光信号が、偏光分離部２０４に入力されることから、偏光分離部２０４の出力信号の信号品質は、ｆｃ＋Δｆ、ｆｃ−Δｆのいずれも劣化する。しかしながら、主として切り出されたｆｃ＋Δｆの光信号の劣化量は、ｆｃ−Δｆの劣化量よりも小さくなる。【００２６】
従って、信号品質監視部２１１により確認される信号品質の劣化が小さい信号が、光送信器１００において＋Δｆの周波数シフトを付与された光信号であり、また他方が−Δｆの周波数シフトを付与された光信号であることが分かる。信号品質監視部２１１が監視する信号品質の指標としては、偏光分離処理アルゴリズムのコストを用いることができる。【００２７】
すなわち、偏光分離処理のアルゴリズムとしては単位円からの距離をコストとして定義するアルゴリズムであるＣＭＡ（Ｃｏｎｓｔａｎｔ  Ｍｏｄｕｌｕｓ  Ａｌｇｏｒｉｔｈｍ）を用いることができる。偏光多重されたＱＰＳＫ信号を偏光分離する場合、ＱＰＳＫ信号の理想的なシンボルの位置は単位円上に存在する。単位円からどれだけ外れているか、すなわち、単位円からの距離をコストと見なして、このコストがゼロとなるように内部の変数を更新して行くことにより偏光分離を行う。信号品質監視部２１１はこのコストを監視することで、信号品質の劣化の大小を判定する。【００２８】
光送信器１００において＋Δｆの周波数シフトを付与された光信号と、−Δｆの周波数シフトを付与された光信号とを特定した後は、制御部２０９は、信号品質変動付与部２１０に、単に、信号をバイパスするだけの動作をさせるようにする。【００２９】
次に、周波数シフト補償部２０５は、制御部２０９から通知された偏光分離部２０４から出力される２個の独立した光信号の周波数シフト量に基づいて、各光信号の周波数シフトを補償する。すなわち、周波数シフト補償部２０５は、光送信機１００の周波数シフタ１０２−１〜２により２個の独立した光信号に付与された周波数シフトを補償する。周波数シフト量は光送信機情報入力インタフェース２０８により、例えば、光通信システムの管理者により入力される。【００３０】
光搬送波周波数偏差・光位相偏差補償部２０６−１〜２は、２個の独立した光信号のそれぞれについて、光信号と局所発振光との光周波数偏差および光位相偏差を補償する。【００３１】
シンボル識別部２０７−１〜２は、光搬送波周波数偏差・光位相偏差補償部２０６−１〜２の出力信号である２個の独立した光信号のそれぞれについて、シンボル判定を行った後、ビット列を復元する。【００３２】
以上の本実施形態の偏光多重光通信システムによれば、光受信機２００で偏光分離処理されて出力される２個の独立した光信号が、光送信機１００で生成された２個の独立した光信号のうちのいずれであるかを特定することが可能となる。その結果、高い信頼性を有する偏光多重分離光通信受信機、偏光多重分離光通信システム、および偏光多重分離光通信方法を実現することができる。【００３３】
すなわち、偏光分離された光信号に付与された光位相の時間的変動量を確実に特定し、光位相の時間的変動を確実に補償することが可能となる。その結果、光搬送波周波数偏差及び光位相偏差を補償する処理を確実に動作させることができ、ビット列を正しく復元することが可能となる。よって、偏光多重光信号の非線形光学効果に起因する位相雑音による伝送特性の劣化を抑制し、かつ、高い信頼性を有する偏光多重分離光通信受信機、偏光多重分離光通信システム、および偏光多重分離光通信方法を実現することができる。
（比較例）
本発明の第２の実施形態の比較例としての偏光多重光通信システムの光受信機の構成および動作を、図５を用いて説明する。【００３４】
図５は、比較例としての光受信機４００の構成を示すブロック図である。光受信機４００は、９０度光ハイブリッド２０１、光ディテクタ２０２−１〜４、ＡＤＣ２０３−１〜４（アナログディジタルコンバータ）を備える。さらに、偏光分離部２０４、周波数シフト補償部２０５、光搬送波周波数偏差・光位相偏差補償部２０６−１〜２、シンボル識別部２０７−１〜２、光送信機情報入力インタフェース２０８を備える。【００３５】
光送信機（例えば、第２の実施形態の光送信機１００）から送信された光送信信号は、光受信機４００に入力される（光受信信号）。さらに、レーザ発振器１０１とほぼ同一の発振周波数を有する局所光発振部２１２からの局所発振光とともに、９０度光ハイブリッド２０１に入力され干渉した後、９０度光ハイブリッド２０１の４つの出力光信号として出力される。各光信号は光ディテクタ２０２−１〜４により電気信号に変換された後、ＡＤＣ２０３−１〜４により４チャネルのディジタル信号に変換される。【００３６】
偏光分離部２０４は、４チャネルのディジタル信号から、ＣＭＡ（Ｃｏｎｓｔａｎｔ  Ｍｏｄｕｌｕｓ  Ａｌｇｏｒｉｔｈｍ）等のアルゴリズムを用いて偏光分離処理を行うことにより、２個の独立した光信号に分離し、ディジタル信号として出力する。【００３７】
周波数シフト補償部２０５は、光送信機１００の周波数シフタ１０２−１〜２により２個の独立した光信号に付与された周波数シフトを補償する。周波数シフト量は光送信機情報入力インタフェース２０８により光通信システムの管理者により入力される。【００３８】
光搬送波周波数偏差・光位相偏差補償部２０６−１〜２は、２個の独立した光信号のそれぞれについて、光信号と局所発振光との光周波数偏差および光位相偏差を補償する。【００３９】
２個の独立した光信号の識別を行うシンボル識別部２０７−１〜２は、光搬送波周波数偏差・光位相偏差補償部２０６−１〜２の出力信号のそれぞれについて、シンボル判定を行った後、ビット列を復元する。【００４０】
本比較例によれば、光送信機１００において付与された周波数シフトを周波数シフト補償部２０５で補償することにより、光搬送波周波数偏差・光位相偏差補償部２０６−１〜２の補償可能範囲を超えるような周波数シフトも復調することが可能となる。これにより、偏光多重光信号の非線形光学効果に起因する位相雑音による伝送特性の劣化を抑制した偏光多重光通信システムを実現することができる。【００４１】
一方、本発明の第２の実施形態によれば、比較例の効果に加えて、光受信機で偏光分離処理されて出力される２個の独立した光信号が、光送信機で生成された２個の独立した光信号の内の何れであるかを特定することが可能となる。これにより、さらに高い信頼性を有する偏光多重分離光通信受信機、偏光多重分離光通信システム、および偏光多重分離光通信方法を実現することができる。
（第３の実施形態）
図４は、本発明の第３の実施形態における光受信機３００の構成を示すブロック図である。第３の実施形態の光受信機３００は、周波数シフト補償部２０５を備えず、制御部２０９から光搬送波周波数偏差・光位相偏差補償部２０６−１〜２に周波数シフト量が通知される点において、第２の実施形態の光受信機２００と異なる。【００４２】
第２の実施形態で説明した通り、光搬送波周波数偏差・光位相偏差補償部２０６−１〜２は、光受信信号の中心周波数と局所発振光の発振周波数との光周波数偏差を補償する処理を行う。光送信機１００の周波数シフタ１０２−１〜２により光信号に付与された周波数シフトも周波数偏差の一部分と見なせる。よって、光周波数偏差と周波数シフト量の和が光搬送波周波数偏差・光位相偏差補償部２０６−１〜２の補償可能範囲内であれば、周波数シフト補償部２０５を備えていなくても光信号を復調することが可能である。【００４３】
光周波数偏差と周波数シフト量の和が光搬送波周波数偏差・光位相偏差補償部２０６−１〜２の補償可能範囲を超える場合は、次のように行う。すなわち、制御部２０９から通知される光信号の特定結果と光送信機１００で各光信号に付与された周波数シフト量とに基づいて、光搬送波周波数偏差・光位相偏差補償部２０６−１〜２の周波数偏差推定量の初期値に周波数シフト量を正しく設定する。これにより、光搬送波周波数偏差・光位相偏差補償部２０６−１〜２の補償可能範囲は、元々の補償可能範囲に周波数シフト量を加えた範囲となるため、光信号を復調可能となる。【００４４】
以上のように、本実施形態によれば、第２の実施形態の効果に加えて、周波数シフト補償部２０５を備える必要がないために、回路規模の削減や開発コストの低減を図ることが可能となる。【００４５】
本発明は、上記の実施形態に限定されることなく、請求の範囲に記載した発明の範囲内で、種々の変形が可能であり、それらも本発明の範囲内に含まれるものであることはいうまでもない。【００４６】
また、上記の実施形態の一部又は全部は、以下の付記のようにも記載されうるが、以下には限られない。【００４７】
付記
（付記１）
偏光状態が直交しかつ搬送波の周波数帯が同一である多重化された２個の光信号を受信し偏光分離する偏光多重分離光通信受信機において、前記多重化された前記２個の光信号に信号品質変動を付与する信号品質変動付与手段と、前記信号品質変動を付与した前記多重化された前記２個の光信号を前記偏光分離した後に、前記２個の光信号の各々の信号品質を比較し、前記比較した結果に基づいて、前記２個の光信号を特定する信号品質監視手段と、を備えた、偏光多重分離光通信受信機。
（付記２）
前記信号品質変動付与手段は、フィルタ回路である、付記１記載の偏光多重分離光通信受信機。
（付記３）
前記フィルタ回路は、前記２個の光信号のいずれか一方の中心周波数をフィルタ中心周波数とし、かつ前記光信号の光スペクトル帯域をフィルタ帯域とするフィルタ係数を有する、付記２記載の偏光多重分離光通信受信機。
（付記４）
前記信号品質変動付与手段は、前記偏光分離が安定化した後に前記信号品質変動を付与する、付記１から３の内の１項記載の偏光多重分離光通信受信機。
（付記５）
前記信号品質変動付与手段は、前記信号品質監視手段が前記２個の光信号を特定した後は、前記光信号をバイパスする、付記１から４の内の１項記載の偏光多重分離光通信受信機。
（付記６）
前記信号品質監視手段は、前記偏光分離のアルゴリズムのコストにより前記信号品質を比較する、付記１から５の内の１項記載の偏光多重分離光通信受信機。
（付記７）
偏光状態が直交しかつ搬送波の周波数帯が同一である２個の光信号を多重化して送信する偏光多重分離光通信送信機と、前記多重化した前記２個の光信号を受信し偏光分離する偏光多重分離光通信受信機とを備え、前記偏光多重分離光通信受信機は、付記１から６の内の１項記載の偏光多重分離光通信受信機である、偏光多重分離光通信システム。
（付記８）
前記偏光多重分離光通信送信機は、前記２個の光信号の位相差を周期的に変化させる周波数シフト手段を備え、前記偏光多重分離光通信受信機は、前記位相差の情報を入力する光送信機情報入力手段と、前記光送信機情報入力手段に入力した前記位相差の情報と前記２個の光信号の特定結果とに基づいて、前記２個の光信号の前記位相差を補償する周波数シフト補償手段と、を備えた、付記７記載の偏光多重分離光通信システム。
（付記９）
前記周波数シフト手段は、前記２個の光信号の少なくとも一方に周波数偏差を加えることにより、前記２個の光信号の位相差を周期的に変化させる、付記７または８記載の偏光多重分離光通信システム。
（付記１０）
前記偏光多重分離光通信受信機は、局所光を発生する局所光発生手段と、前記局所光と前記多重化した前記２個の光信号とを干渉させてから前記偏光分離を行う偏光分離手段と、前記周波数シフト補償手段の後段に設けられ、前記局所光と前記２個の光信号との周波数偏差を補償する周波数偏差補償手段と、を備えた、付記７から９の内の１項記載の偏光多重分離光通信システム。
（付記１１）
偏光状態が直交しかつ搬送波の周波数帯が同一である２個の光信号を多重化して送信し、前記多重化した前記２個の光信号を受信し偏光分離する、偏光多重分離光通信方法において、前記受信した前記多重化した前記２個の光信号に信号品質変動を付与し、前記信号品質変動を付与した前記多重化した前記２個の光信号を前記偏光分離した後に、前記２個の光信号の各々の信号品質を比較し、前記比較した結果に基づいて、前記２個の光信号を特定する、偏光多重分離光通信方法。
（付記１２）
前記信号品質変動の付与は、フィルタ回路により行う、付記１１記載の偏光多重分離光通信方法。
（付記１３）
前記フィルタ回路は、前記２個の光信号のいずれか一方の中心周波数をフィルタ中心周波数とし、かつ前記光信号の光スペクトル帯域をフィルタ帯域とするフィルタ係数を有する、付記１２記載の偏光多重分離光通信方法。
（付記１４）
前記信号品質変動の付与は、前記偏光分離が安定化した後に行う、付記１１から１３の内の１項記載の偏光多重分離光通信方法。
（付記１５）
前記信号品質変動の付与は、前記２個の光信号を特定した後は、前記光信号をバイパスする、付記１１から１４の内の１項記載の偏光多重分離光通信方法。
（付記１６）
前記信号品質の比較は、前記偏光分離のアルゴリズムのコストにより行う、付記１１から１５の内の１項記載の偏光多重分離光通信方法。【００４８】
この出願は、２０１３年１月２２日に出願された日本出願特願２０１３−００８９００を基礎とする優先権を主張し、その開示の全てをここに取り込む。
【産業上の利用可能性】
【００４９】
本発明は、インターネットの普及による基幹ネットワークのトラフィック量の急増に対応した超高速長距離光通信システムを実現する技術として利用可能である。
【符号の説明】
【００５０】
１０    偏光多重分離光通信受信機
１１    信号品質変動付与手段
１２    信号品質監視手段
１００    光送信機
１０１    レーザ発振器
１０２−１、１０２−２    周波数シフタ
１０３−１、１０３−２    光位相変調器
１０４−１、１０４−２    駆動信号生成器
１０５    偏光多重部
２００、３００、４００    光受信機
２０１    ９０度光ハイブリッド
２０２−１、２０２−２、２０２−３、２０２−４    光ディテクタ
２０３−１、２０３−２、２０３−３、２０３−４    ＡＤＣ（アナログディジタルコンバータ）
２０４    偏光分離部
２０５    周波数シフト補償部
２０６−１、２０６−２    光搬送波周波数偏差・光位相偏差補償部
２０７−１、２０７−２    シンボル識別部
２０８    光送信機情報入力インタフェース
２０９    制御部
２１０    信号品質変動付与部
２１１    信号品質監視部
２１２    局所光発振部
【図１】
2014115519.tif 000003
【図２】
2014115519.tif 000004
【図３】
2014115519.tif 000005
【図４】
2014115519.tif 000006
【図５】
2014115519.tif 000007
【国際調査報告】
2014115519.tif 000008
2014115519.tif 000009
2014115519.tif 000010
2014115519.tif 000011